(57)【要約】【課題】蓋が風圧により不測に吹き上げられるのを防止でき、しかもこの蓋の吹き上げ防止を簡単なロック操作で行えるごみ集積ボックスを提供する。【解決手段】蓋３の前端側に受け具１８を前方突出状に固定し、前面パネル５の上端側に掛け具１９を軸２０回りに上下方向に回転自在に且つ所定ストロークだけ昇降動可能に取り付ける。掛け具１９に該掛け具１９の上下回転に伴い受け具１８に係合・離脱する引掛け孔２３を設け、受け具１８の上縁に凹欠部２４を設ける。掛け具１９が引掛け孔２３に受け具１８を係合させた状態下で自重により下降することにより受け具１８の凹欠部２４に落ち込み係合する。【選択図】図５
2010189159.tif 000002
【特許請求の範囲】
【請求項１】
内部に側面パネルと前面パネルとにより囲まれたごみ収容部を有し且つ上面側にごみ投入口を形成したボックス本体と、前記ごみ投入口を開閉する蓋とを備え、前記蓋はこれの後端側が前記ごみ投入口の後側に軸支されたヒンジ軸を中心に上下方向に開閉回動自在に取り付けられているごみ集積ボックスにおいて、
前記蓋の前端側に受け具を前方突出状に固定し、前記前面パネルの上端側に掛け具を軸回りに上下方向に回転自在に且つ所定ストロークだけ昇降動可能に取り付け、前記掛け具に該掛け具の上下回転に伴い前記受け具に係合・離脱する引掛け孔が設けられ、前記受け具の上縁に凹欠部が設けられ、前記掛け具が前記引掛け孔に前記受け具を係合させた状態下で自重により下降することにより前記受け具の凹欠部に落ち込み係合するように構成してあることを特徴とする、ごみ集積ボックス。
【請求項２】
前記掛け具の引掛け孔より回動先端側に突片を前方突出状に設けている、請求項１記載のごみ集積ボックス。
【請求項３】
前記掛け具の引掛け孔に前記受け具を係合させることにより前記引掛け孔から前方へ突出する前記受け具の前方突出端側に、南京錠のつるが挿通されるつる挿通用孔を設けている、請求項１又は２記載のごみ集積ボックス。
【発明の詳細な説明】
【技術分野】
【０００１】
本発明は、自治体、公園あるいは事業所等のごみ収集場所に設置され、家庭や事業所などから持ち出されるごみを一時的に集積するごみ集積ボックスに関する。
【背景技術】
【０００２】
ゴミ収集場所に出されたごみ袋等を鳥獣類あるいは風雨等から保護し、内容物の散乱を防止するため、ごみ集積ボックスがごみ収集場所に据置されている。このごみ集積ボックスとしては、ボックス本体の内部にごみ収容部を形成し、ごみ収容部の上部に設けたごみ投入口を開閉可能とする蓋を設けたものが知られている（例えば、特許文献１参照。）。
【０００３】
このようなごみ集積ボックスにおいて、蓋を錠前で施錠したり、あるいは蓋側に受け金具を設ける一方、ボックス本体側に掛け金具を設けて南京錠で施錠したりして、合鍵を持つ特定の利用者だけが利用できるようにしたものがある（例えば、特許文献２参照）。
【先行技術文献】
【特許文献】
【０００４】
【特許文献１】特開２００１−１８０８０１号公報
【特許文献２】登録実用新案第３０６３６０２号公報
【発明の概要】
【発明が解決しようとする課題】
【０００５】
しかしながら、蓋を施錠する上記ごみ集積ボックスでは、錠を掛け忘れると、ごみ集積ボックスの格子パネルあるいはパンチングパネル等からなる前面パネルや側面パネルからごみ収容部内に入って来る風圧により、不測に蓋が吹き上げられて開いてしまうことがあり、そうした場合鳥獣類あるいは風雨等からの保護機能を失うという問題があった。
【０００６】
本発明は、このような問題を解決するためになされたものであって、その目的とするところは、不測に蓋が風圧により吹き上げられるのを防止できるうえ、その蓋の吹き上げ防止を簡単なロック操作で行えるごみ集積ボックスを提供することにある。
【課題を解決するための手段】
【０００７】
本発明のごみ集積ボックスは、請求項１に記載のように、発明の内容を理解しやすくするために図１〜図５に示した符号を参照して説明すると、内部に側面パネル４と前面パネル５とにより囲まれたごみ収容部６を有し且つ上面側にごみ投入口７を形成したボックス本体２と、ごみ投入口７を開閉する蓋３とを備え、蓋３はこれの後端側がごみ投入口７の後側に軸支されたヒンジ軸１３を中心に上下方向に開閉回動自在に取り付けられているごみ集積ボックスにおいて、蓋３の前端側に受け具１８を前方突出状に固定し、前面パネル５の上端側に掛け具１９を軸２０回りに上下方向に回転自在に且つ所定ストロークだけ昇降動可能に取り付け、掛け具１９に該掛け具１９の上下回転に伴い受け具１８に係合・離脱する引掛け孔２３が設けられ、受け具１８の上縁に凹欠部２４が設けられ、掛け具１９が引掛け孔２３に受け具１８を係合させた状態下で自重により下降することにより受け具１８の凹欠部２４に落ち込み係合するように構成してあることに特徴を有するものである。
【０００８】
これによると、蓋３を閉めた後、掛け具１９を手に持って持ち上げながら軸２０回りに上方へ回転させ引掛け孔２３に受け具１８を挿入したのち掛け具１９から手を離すと、掛け具１９が自重により下降して引掛け孔２３の内周上部が受け具１８の凹欠部２４に落ち込み係合することで蓋３が自動的に閉じロックされるため、蓋３が不測に風圧で吹き上げられて開けられるのを確実に防止できる。蓋３を開けるときは掛け具１９を持ち上げて軸２０回りに下方へ回転させることで引掛け孔２３を受け具１８から外すことができ、これにより蓋３をヒンジ軸１３回りに上方へ回動させることで開けることができる。
【０００９】
請求項１記載のごみ集積ボックスは、請求項２に記載のように、掛け具１９の引掛け孔２３より回動先端側に突片２５を前方突出状に設けることができる。これによると、蓋３を閉めた後、突片２５を手でつかんで掛け具１９を持ち上げながら軸２０回りに上方へ回転させて引掛け孔２３に受け具１８を挿入させたのち掛け具１９から手を離すと、掛け具１９が自重により下降して引掛け孔２３の内周上部が受け具１８の凹欠部２４に落ち込み係合すると共に、突片２５が受け具１８の凹欠部２４より前方の上縁１８ａに当接係合する状態が得られる。その引掛け孔２３の凹欠部２４との係合作用と突片２５の上縁１８ａへの当接係合作用とが相俟って蓋３の吹き上げ防止効果をより一層高めることができることになる。突片２５は掛け具１９を掴み易くする摘みにも兼用できる。
【００１０】
請求項１又は２記載のごみ集積ボックスは、請求項３に記載のように、掛け具１９の引掛け孔２３に受け具１８を係合させることにより引掛け孔２３から前方へ突出する受け具１８の前方突出端側に、南京錠２６のつる２７が挿通されるつる挿通用孔２８を設けるという構成を採用することができる。これによると、蓋３を閉じた後、掛け具１９を引掛け孔２３に受け具１８を係合した後、掛け具１９のつる挿通用孔２８に南京錠２６を掛けることで蓋３を施錠することができる。
【発明の効果】
【００１１】
本発明によれば、蓋を閉じた後掛け具を手に持って持ち上げながら軸回りに上方へ回転させて引掛け孔に受け具を係合させたのち掛け具から手を離すだけの簡単な操作で自動的に蓋を閉じロックできるため、不測に蓋が風圧により開けられるのを確実に防止でき、しかも使い勝手が頗る良い。
【図面の簡単な説明】
【００１２】
【図１】本発明の一実施例を示すごみ集積ボックスの平面図である。
【図２】図１の集積ボックスの正面図である。
【図３】図１の集積ボックスの側面図である。
【図４】図１におけるＡ−Ａ線断面図である。
【図５】図２におけるＢ−Ｂ線断面図である。
【図６】図１のごみ集積ボックスの掛け具を持ち上げた状態で示す縦断面側図である。
【図７】図１のごみ集積ボックスの掛け具の回転状態を示す縦断側面図である。
【図８】図１のごみ集積ボックスの蓋の吹上がり阻止状態を示す縦断側面図である。
【発明を実施するための形態】
【００１３】
本発明の実施の形態を実施例に基づき詳細に説明する。図１〜図３において、本発明に係るごみ集積ボックス１はボックス本体２と蓋３とを備える。ボックス本体２は内部に格子パネル等からなる左右の側面パネル４及び前面パネル５により囲まれるごみ収容部６を形成し、且つ上面側に金属板等からなる蓋３により開閉されるごみ投入口７を形成している。ボックス本体２内の底側には底板８を敷設するが、必ずしも底板８は敷設しなくてもよい。
【００１４】
図１〜図３に示すように、ごみ集積ボックス１の据置場所には左右一対の前支柱９ａ、９ａと左右一対の後支柱９ｂ、９ｂを立設しており、前支柱９ａ、９ａ及び後支柱９ｂ、９ｂの各下端は、ごみ集積ボックス１の据置場所に埋設された左右一対の前アンカーボルト１０ａ、１０ａ及び後アンカーボルト１０ｂ、１０ｂにそれぞれ螺子手段を用いて締結固定されている。
【００１５】
図１、図３、図４において、左右一対の後支柱９ｂ、９ｂの上端部どうし間には胴縁１２を水平に渡しており、蓋３の後端部（吊元側）が胴縁１２にヒンジ軸１３回りに上下方向に開閉回動自在に枢着されている。図２、図５に示すように、蓋３はこれの前端部下面の左右箇所には座部１４をそれぞれ取り付け、蓋３を全閉したとき該座部１４が左右の前支柱９ａ、９ａにそれぞれ固定した蓋受け部１５の上に載置するようにしてある。図１、図２に示すように、蓋３の前端部の左右方向中央部位には把手１１を取り付けている。
【００１６】
図３、図４に示すように、後支柱９ｂと蓋３の間にはガススプリング等によるダンパー１６が配設されており、蓋３の急激な開閉回動を制御すると共に、蓋３を任意の回動角度位置で停止保持し得るようにしている。さらに、左右の後支柱９ｂ、９ｂどうし間には格子パネル等からなる背面パネル１７を配置している（図４参照）。但し、ごみ集積ボックス１を壁等の前側に設置する場合には、背面パネル１７は必ずしも必要としない。
【００１７】
図２、図５において、前面パネル５は左右の前支柱９ａ、９ａ間に配置され、前面パネル５の上端側の上枠部材５ａと蓋３の前端部との間においては、蓋３の前端側の左右方向の略中央付近部位に金属製あるいは合成樹脂製の板材からなる受け具１８を前方突出状に把手１１と並べて固定し、一方、前面パネル５の上端側の上枠部材５ａの左右方向の略中央付近部位に、同じく金属製あるいは合成樹脂製の板材からなる掛け具１９を軸２０回りに上下方向に回転自在に且つ所定ストロークだけ昇降動可能に取り付ける。掛け具１９を軸２０回りに上下方向に回転自在に且つ所定ストロークだけ昇降動可能に取り付ける具体的な手段としては、例えば、図５に示すように掛け具１９の下端部１９ｂを上向きに折り返してＵ字状に形成するとともにそのＵ字状部にビス２１を螺合させることにより上下方向に所定長さだけ長い縦長孔部２２を設ける一方、前面パネル５の上枠部材５ａに左右方向にわたって架設した複数本の線杆のうちその一本の線杆を軸２０に利用しこの軸２０に前記縦長孔部２２を挿通させる。
【００１８】
図５に示すように、掛け具１９には該掛け具１９の回転に伴い受け具１８に係合・離脱する引掛け孔２３が設けられる一方、受け具１８の上縁には凹欠部２４を切り込んでいる。掛け具１９の引掛け孔２３より回動先端側には突片２５を前方突出状に折曲形成している。蓋３を全閉した後、掛け具１９が引掛け孔２３に受け具１８を挿入係合した状態下で自重により下降したとき、引掛け孔２３の内周上部が凹欠部２４内の底部に落ち込み係合すると同時に、突片２５が受け具１８の凹欠部２４より前方の上縁１８ａに当接係合するように構成してある。
【００１９】
蓋３を閉じた後、掛け具１９の引掛け孔２３に受け具１８を挿入係合して後述するように閉じロックしたのち、掛け具１９に南京錠２６を掛けることで蓋３を施錠することができるように、掛け具１９の引掛け孔２３に受け具１８を挿入係合したとき掛け具１９の引掛け孔２３から前方へ突出する受け具１８の前方突出端側に、図５に仮想線で示すように南京錠２６のつる２７が挿通されるつる挿通用孔２８を設けている。
【００２０】
以上の構成からなるごみ集積ボックス１によると、蓋３をヒンジ軸１３回りに開閉してごみをごみ投入口７からごみ収容部６内に出し入れすることができる。蓋３を全閉した後、突片２５を手で掴み、図７のように掛け具１９を持ち上げながら軸２０回りに上方へ回転させて、図６に示すごとく引掛け孔２３に受け具１８を挿入係合させてから掛け具１９から手を離す。すると、図５に示すように掛け具１９が自重により下降して受け具１８の凹欠部２４に納まり、掛け具１９の引掛け孔２３の内周上部が受け具１８の凹欠部２４内の底部に落ち込み係合すると同時に、突片２５が凹欠部２４より前方の上縁１８ａに当接係合し、これにより蓋３が自動的に閉じロックされる。したがって、このとき蓋３が前面パネル５や側面パネル４あるいは背面パネル１７から入ってくる風圧で不測に開けられるのを確実に防止できる（図８参照）。このように蓋３を閉じたのち掛け具１９を手でつかんで持ち上げながら軸２０回りに上方へ回転させて引掛け孔２３に受け具１８を係合させてから掛け具１９から手を離すだけの簡単な操作で自動的に蓋３を閉じロックできるため、使い勝手が頗る良い。
【００２１】
蓋３を開けるときは掛け具１９を持ち上げて軸２０回りに下方へ回転させることで引掛け孔２３を受け具１８から外すことができ、これにより蓋３を開けることができる。
【００２２】
上記実施例では、側面パネル４、前面パネル５、及び背面パネル１７には線材を格子状に溶接した格子パネルを使用したが、これらの他に金属製あるいは無機質材料によるパネル等を使用することもできる。また、前後支柱９ａ、９ｂは地面にアンカーボルト１０ａ、１０ｂを用いて固定したが、前後支柱９ａ、９ｂの各下端にキャスター装置を設けてごみ集積ボックス１を移動可能とすることも可能である。
【符号の説明】
【００２３】
１ ごみ集積ボックス
２ ボックス本体
３ 蓋
４ 側面パネル
５ 前面パネル
６ ごみ収容部
７ ごみ投入口
１３  ヒンジ軸
１８ 受け具
１９  掛け具
２０  軸
２３  引掛け孔
２４  凹欠部
２５  突片
２６  南京錠
２７  つる
２８  つる挿通用孔
【図１】
2010189159.tif 000003
【図２】
2010189159.tif 000004
【図３】
2010189159.tif 000005
【図４】
2010189159.tif 000006
【図５】
2010189159.tif 000007
【図６】
2010189159.tif 000008
【図７】
2010189159.tif 000009
【図８】
2010189159.tif 000010